(57)【要約】解剖学的に正しい形状であり、パター（１００）の適切な握りを促すグリップ（１１０）と、第１端部及び第２端部を備え、前記グリップ（１１０）がシャフト（１０２）の第１端部に取付けられるシャフト（１０２）と、前記シャフト（１０２）の第２端部に取付けられるホーゼル（１０８）と、ホーゼル（１０８）に取付けられるとともに打撃面（１２０）を有するヘッド（１０４）と、前記シャフト（１０２）上にヘッドを精度よく組み立てることを保証するパター（１００）の調整部を備えることを特徴とするパター（１００）である。
2005518885.tif 000002
【特許請求の範囲】
【請求項１】
パターの正しい握り方を促す解剖学的に正しい形状を有するグリップと、
第１端部及び第２端部を備えるとともに、前記グリップが前記第１端部に配設されるシャフトと、
前記シャフトの第２端部に取付けられるホーゼルと、
前記ホーゼルに取付けられるとともに、打撃面を有するヘッドと、
前記シャフトへのヘッドの正しい組立を保証するための用いられるパターの調整部を備えることを特徴とするパター。
【請求項２】
前記解剖学的に正しい形状のグリップを握ることで、前記打撃面とボールとが適切に整列されることを特徴とする請求項１記載のパター。
【請求項３】
前記解剖学的に正しい形状のグリップがカルジオイド形状の断面を備えることを特徴とする請求項１記載のパター。
【請求項４】
前記シャフト上に前記グリップを成型することによって、該グリップが前記シャフトの第１端部に配設されることを特徴とする請求項１記載のパター。
【請求項５】
前記シャフトのヘッド方向部を備え、
該ヘッド方向部が前記ヘッドの方向を強調するために用いられることを特徴とする請求項１記載のパター。
【請求項６】
前記ヘッド方向部が、前記シャフトの曲面を有し、
前記曲面が視認可能な目印を拡大するために用いられ、
該目印がシャフトの回転を示すことを特徴とする請求項５記載のパター。
【請求項７】
前記曲面が上方に凸形状をしていることを特徴とする請求項６記載のパター。
【請求項８】
前記調整部が、一定方向に形作られる前記ホーゼルの接続端部と、
該ホーゼル端部に対応して一定方向に形作られるとともに前記ホーゼルと接続するヘッド部分とからなることを特徴とする請求項１記載のパター。
【請求項９】
前記一定方向に形作られたシャフトの接続端部が、突起部を備えるとともに、該突起部に対応して形成されたヘッド部分に取付けられることを特徴とする請求項８記載のパター。
【請求項１０】
前記接続端突起部が、楕円形状をしていることを特徴とする請求項９記載のパター。
【請求項１１】
前記調整部が前記ホーゼルの前記ヘッド内への差込深さを制限することを特徴とする請求項８記載のパター。
【請求項１２】
前記ホーゼルが、照準部を備え、
該照準部が前記ヘッドの方向を強調することを特徴とする請求項１記載のパター。
【請求項１３】
前記照準部が円弧中心点を備える弧部を有し、
該円弧中心点が、目印を拡大し、
該目印がヘッドの方向を示すことを特徴とする請求項１２記載のパター。
【請求項１４】
前記ホーゼルが振動ダンパを備え、
該振動ダンパが、前記ヘッドからシャフトへ発散する振動を防止することを特徴とする請求項１記載のパター。
【請求項１５】
前記打撃面が、約１−５°のロフトアングルを備えることを特徴とする請求項１記載のパター。
【請求項１６】
前記ヘッドの視準器を備え、
該視準器が、凹部を有し、
該凹部が視差によってヘッドの方向を視覚的に表示するために用いられることを特徴とする請求項１記載のパター。
【請求項１７】
前記凹部が更に、
前記打撃面と略垂直であって、前記ヘッド上面に対して略平行な底面と、
前記底面に対して略垂直な第１側面と、
前記底面に略垂直であって、前記第１側面に略平行な第２側面と、
前記底面に略垂直であって、前記第１及び第２側面に対して略垂直である正面を備え、
プレイヤの目がヘッドと適切に並ぶときに、
前記凹部の底面と前記ヘッドの前記上面とが略連続的な面となるように視認され、
前記第１、第２側部及び正面が前記略連続的な面において線状に視認されることを特徴とする請求項１６記載のパター。
【請求項１８】
前記グリップ、前記シャフト、前記ホーゼル及び前記ヘッドのそれぞれが、ポリマ材料及び複合材料のうち１つからなることを特徴とする請求項１記載のパター。
【請求項１９】
前記ヘッドの３つの寸法のうち少なくとも１つを調整可能な前記ヘッドの重量システムを更に備え、
第１の調整可能な寸法は、前記打撃面から前記ヘッドの背面への寸法であり、
第２の調整可能な寸法は、前記ヘッドの上面から前記ヘッドの底面への寸法であり、
第３の調整可能な寸法は、前記ヘッドの第１側面から前記ヘッドの第２側面への寸法であることを特徴とする請求項１記載のパター。
【請求項２０】
前記グリップ内に配設される第１平衡錘と、
前記ヘッド内に配設される第２平衡錘を更に備えることを特徴とする請求項１記載のパター。
【請求項２１】
前記グリップの軸に沿って調整可能な前記グリップの重量システムを更に備えることを特徴とする請求項１記載のパター。
【請求項２２】
前記重量システムが、前記グリップ内に形成される空洞部を備え、
該空洞部内において、前記グリップの軸に沿って選択された位置に錘が配設されることを特徴とする請求項２１記載のパター。
【請求項２３】
ゴルファのパットを補助するパターシステムであって、
該システムは、ゴルファの手と解剖学的に適合されるとともに、グリップ時において、その把持部が選択的に選択された方向に方向付けられるグリップと、
該グリップから延設するとともに、ゴルファに対する好適なシャフトの回転方向を視覚的に示すシャフトと、
該シャフトに取付けられるとともに、ゴルファにヘッドの好適な回転を視覚的に示すヘッドと、
前記ヘッドが前記シャフトに正しく配列されるために用いられる調整部を備えることを特徴とするパターシステム。
【請求項２４】
ヘッドの視差視準器を更に備え、
該視差視準器が、ゴルファに好適なスタンスが保たれているときを視覚的に示すことを特徴とする請求項２３記載のパターシステム。
【請求項２５】
調整可能な重量システムを更に備え、
該重量システムがパターシステムを使用者に合わせて構築可能とすることを特徴とする請求項２３記載のパターシステム。
【請求項２６】
ヘッドの重量システムを更に備え、
該重量システムが、ヘッドの重力中心を３つの軸に沿って移動させること並びにヘッドの質量を変化させることを特徴とする請求項２３記載のパターシステム。
【請求項２７】
グリップの重量システムを更に備え、
該重量システムが、前記ヘッドの重量システムとともに前記パターシステムを平衡させることを特徴とする請求項２７記載のパターシステム。
【請求項２８】
ゴルフクラブのグリップであって、
該グリップが、
端部を有するとともに、該端部が該グリップを前記ゴルフクラブのシャフトに取付けるための一体部材を備え、
該一体部材が、該一体部材の長さ方向に沿って、前記グリップの適切な把持を促す解剖学的に正しい形状をしていることを特徴とするグリップ。
【請求項２９】
前記解剖学的に正しい形状のグリップがカルジオイド形状の断面を備えることを特徴とする請求項２８記載のパター。
【請求項３０】
前記カルジオイド形状の断面が、約１  ３／４インチの最大径を備えることを特徴とする請求項２９記載のグリップ。
【請求項３１】
前記一体部材が、ポリマ及び複合材料のうち１つからなることを特徴とする請求項２８記載のグリップ。
【請求項３２】
前記ポリマ及び複合材料のうち１つに、前記一体部材の重量を変化させる材料が含浸されていることを特徴とする請求項３１記載のグリップ。
【請求項３３】
前記一体部材が非テーパ形状であることを特徴とする請求項２８記載のグリップ。
【請求項３４】
前記一体部材の表面に浮き模様が形成されていることを特徴とする請求項２８記載のグリップ。
【請求項３５】
前記グリップの軸に沿って調整可能な重量システムを更に備えることを特徴とする請求項２８記載のグリップ。
【請求項３６】
前記重量システムが、前記グリップ内に形成される空洞部と、
該空洞部内において、前記グリップの軸に沿って選択された位置に配設される錘を備えることを特徴とする請求項３５記載のグリップ。
【請求項３７】
ゴルフクラブのシャフトであって、
該シャフトが、ポリマ及び複合材料のうち１つから形成される一体部材を備え、
該一体部材が、前記ゴルフクラブのグリップに取付けられるシャフト部分と、
前記ゴルフクラブのヘッドに取付けられるホーゼル部分とを備え、
該シャフト部分が前記ヘッドの方向を強調するヘッド方向部を有することを特徴とするシャフト。
【請求項３８】
前記ヘッド方向部がシャフトの曲面を有し、
該曲面がシャフトの回転を示す目印を拡大するために用いられることを特徴とする請求項３７記載のシャフト。
【請求項３９】
前記曲面が上方に凸形状であることを特徴とする請求項３８記載のシャフト。
【請求項４０】
前記曲面が、前記シャフトの楕円断面及び丸み角部を有する三角形状断面の一部の上面部分であることを特徴とする請求項３８記載のシャフト。
【請求項４１】
前記曲面にコーティング或いは浮き模様のいずれかが施され、
該コーティング或いは浮き模様が、前記目印を際立たせることを特徴とする請求項３８記載のシャフト。
【請求項４２】
中空の空洞部が前記シャフトの長手方向に延設されていることを特徴とする請求項３７記載のシャフト。
【請求項４３】
前記シャフトの断面が、２つの軸に対して対称であることを特徴とする請求項３７記載のシャフト。
【請求項４４】
前記シャフト部分が非テーパ形状であることを特徴とする請求項３７記載のシャフト。
【請求項４５】
前記シャフト部分が第１端部を備え、
該第１端部が第２端部より大きな断面を有することを特徴とする請求項３７記載のシャフト。
【請求項４６】
前記一体部材が、遷移領域を備え、
該遷移領域が、前記シャフト部分と前記ホーゼル部分との間の滑らかな遷移をもたらすことを特徴とする請求項３７記載のシャフト。
【請求項４７】
前記一体部材が、中実のコア部を有し、
該コア部の周りにポリマ及び複合材料が成型されることを特徴とする請求項３７記載のシャフト。
【請求項４８】
前記ホーゼルが照準部を備え、
該照準部が前記ヘッドの方向を強調するために用いられることを特徴とする請求項３７記載のシャフト。
【請求項４９】
前記照準部が、円弧中心点を有する弧部を有し、
該円弧中心点が目印を拡大し、
該目印が前記ヘッドの不適切な方向を示すことを特徴とする請求項４８記載のシャフト。
【請求項５０】
ポリマと複合材料のうち１つから形成されるとともに、打撃面及びボール照準部を有する本体部材を備え、
該照準部が、ヘッドとボールとの間の適切な関係をもたらすようにすることを特徴とするパターヘッド。
【請求項５１】
前記ヘッドの前記ボール照準部が、ヘッドの好ましい移動方向に対して垂直及び平行な縁を有する輪郭を備えることを特徴とする請求項５０記載のヘッド。
【請求項５２】
前記輪郭が、前記好ましい移動方向に対して垂直及び平行な側部を有する長方形状であることを特徴とする請求項５１記載のヘッド。
【請求項５３】
前記打撃面に浮き模様が施されていることを特徴とする請求項５０記載のヘッド。
【請求項５４】
前記打撃面が約１−５°のロフトアングルを備えることを特徴とする請求項５０記載のヘッド。
【請求項５５】
視準装置を更に備え、
該視準装置が、凹部を備え、
該凹部が視差によってヘッドの方向を視覚的に示すことを特徴とする請求項５０記載のヘッド。
【請求項５６】
前記凹部が更に、
前記打撃面と略垂直であって、前記ヘッド上面に対して略平行な底面と、
前記底面に対して略垂直な第１側面と、
前記底面に略垂直であって、前記第１側面に略平行な第２側面と、
前記底面に略垂直であって、前記第１及び第２側面に対して略垂直である正面を備え、
プレイヤの目がヘッドと適切に並ぶ際に、
前記凹部の底面と前記ヘッドの前記上面とが略連続的な面となるように視認され、
前記第１、第２側部及び正面が前記略連続的な面において線状に視認されることを特徴とする請求項５５記載のヘッド。
【請求項５７】
前記凹部が長方形状であることを特徴とする請求項５５記載のヘッド。
【請求項５８】
前記凹部が色付け及び浮き模様のうち１つを施され、ヘッドの方向の視覚的表示効果が高められていることを特徴とする請求項５５記載のヘッド。
【請求項５９】
前記ヘッドの３つの寸法のうち少なくとも１つを調整可能な前記ヘッドの重量システムを更に備え、
第１の調整可能な寸法は、前記打撃面から前記ヘッドの背面への寸法であり、
第２の調整可能な寸法は、前記ヘッドの上面から前記ヘッドの底面への寸法であり、
第３の調整可能な寸法は、前記ヘッドの第１側面から前記ヘッドの第２側面への寸法であることを特徴とする請求項５０記載のパター。
【請求項６０】
前記重量システムが更に、
前記ヘッド内に形成されるとともに、該ヘッド内で該ヘッドの深さより短い所定の深さ前記背面から該ヘッドに入り込む第１空洞部と、
該ヘッド内に形成されるとともに、前記第１空洞部に横方向に空間を空けて配設され、前記ヘッド内部にて前記所定の深さ前記背面から入り込む第２空洞部と、
これら空洞部内であって、各空洞部の所定深さに沿って選択される位置に配設される錘からなることを特徴とする請求項５９記載のヘッド。
【請求項６１】
前記錘が長手方向軸に対して非対称であることを特徴とする請求項６０記載のヘッド。
【請求項６２】
前記空洞部が、該空洞部を塞ぐキャップ及びドアのうち１つを有することを特徴とする請求項６０記載のヘッド。
【請求項６３】
パターのグリップを成型する工程と、
シャフト部分とホーゼル部分を備えるパターのシャフトを成型する工程と、
打撃面を有するパターのヘッドを成型する工程と、
パターの調整部を形成する工程と、
前記ヘッドを前記シャフトのホーゼル部分に取付ける工程からなり、
該取付ける工程は、ヘッドの配置がシャフトに正しく取付けられるように前記調整部を用いることを特徴とするパターの製造方法。
【請求項６４】
前記パターの材料が、ポリマ及び複合材料のうち１つからなることを特徴とする請求項６３記載の方法。
【請求項６５】
前記成型工程が、射出成型及び圧縮成型のうち１つでなされることを特徴とする請求項６３記載の方法。
【発明の詳細な説明】
【背景技術】
【０００１】
初期において、ゴルフは世界中のエリートクラスのメンバにとって好まれるスポーツであった。しかしながら、１９５０年代後半のアーノルドパーマ以来、このスポーツの人気は急速に上昇し、たくさんのゴルフコースが建設され、労働者階級による増加する需要に応えるものとなってきた。このようにして、ゴルフが貴族階級のためのものであるという認識は消滅するものとなった。今日、ゴルフは、世界中のゴルフコースで、社会のあらゆる層の人々によって愛されるものとなっている。ゴルフに対する公衆の一般的興味は、ゴルフトーナメントのメディアへの露出やプロゴルファに与えられる突出したステータスによっても明らかである。
【０００２】
愛称としてクラブ或いは「スティック」と称されるが、クラブはゲームの楽しみのために必要な道具のうち必要不可欠なものである。クラブは、理想的には様々な地形に適応し、様々な距離、個々のスタイル及び特定のショットにおける選択のために、様々な設計形態で利用可能である。クラブは大きく３つのカテゴリに分類されうる。即ち、ウッド（或いは、メタル）、アイアン及びパターである。メタルは通常ロングショットのために用いられ、ボールを３００ヤード飛ばすことができ、熟練したゴルファによればそれ以上の飛距離を出すことも可能である。アイアンは長距離、中距離、短距離のために用いられる。この場合、精度が最も重要であり、地面からボールを上昇させる大きなフェースアングルを有する場合もある。例えば、バンカからのショットや草が覆い茂る丘からのショットの場合である。メタル及びアイアンは数字で分類され、該数字はこれらの打撃面のフェースアングルやシャフトの長さによって定められる。パターは様々な短距離のショットやグリーン表面に近づけるために用いられる。パターで打たれたボールが滑り、それから地面を転がることが理想的であり、任意の所望の距離において空中に浮かないことが望ましい。
【０００３】
パターはショートレンジのショットに用いられるけれども、非常に高い精度と感触をもたらすように設計されている。これは、可能限り小さなストロークでホール内にボールを転がすためである。これを達成するために、ゴルファは力及び方向を見定め、これらをパターに伝達させる。そして、ボールの経路の表面の凹凸の影響に抵抗することなしに、ボールは所望のスピードと方向で移動する。このことを一定不変に行うことは非常に複雑で困難なことである。もし、ボールを転がし、適切な経路に沿ってパターをスイングするときに、ゴルファが適切なグリップ、スタンス及び身体の回転を維持するならば、パットの成功の可能性は上昇する。
【０００４】
従来のパターは３０年から７０年に構築された設計デザイン哲学を反映し、典型的には一定に繰り返し可能なストロークをゴルファがなせるようにいくつかの特徴を備えている。しばしば、パターの設計はクラブそれ自体の正しい持ち方を妨げるものとなっている。いくつかの場合において、パターはゴルファがより正確に照準可能なように、視認可能な線あるいは溝状の目印を有している。しかし、このような特徴は、しばしばゴルファを混乱させ、惑わせ、間違った照準に合わせさせるものとなっている。加えて、従来のパターは、多くの構成要素から形成されている。このことは、組立において低い精度をもたらしやすい。そして、パターでボールを打つときに、必然的に狙った部分からの誤差を生じせしめる。
【０００５】
（発明のまとめ）
パターは、適切な握りを促す解剖学的に正しい形状を有するグリップと、第１端部と第２端部を備えるとともに第１端部にグリップが取付けられるシャフトからなる。ホーゼルはシャフトの第２端部に取付けられる。ヘッドはホーゼルに取り付けられる。該ヘッドは打撃面とパターの調整部を備えている。該調整部はシャフトへのヘッドの正確な組立を保証するためのものである。
【０００６】
さらに、ゴルファのパットを補助するパターシステムは、ゴルファの手と解剖学的に適合するグリップを備え、該グリップは、握ったときに選択された方向へ選択的に方向付けるものである。グリップから延設するシャフトはシャフトの好適な回転方向を視覚的に示す表示を備えている。ヘッドはシャフトと一体に組み込まれ、ゴルファにヘッドの好適な方向を指し示す視覚的表示を備えている。また調整部は正確にヘッドをシャフトに対して配列させる。
【０００７】
加えて、ゴルフクラブのグリップは一体部材からなり、その端部はゴルフクラブのシャフトにグリップを取り付け可能としている。一体部材は、一体部材の長さに沿ってグリップの適切な握りを促す解剖学的に正しい形状をしている。ゴルフクラブのシャフトは、ポリマ及び複合材料うち１つから形成される一体部材を備え、該一体部材はゴルフクラブのグリップに取付けるためのシャフト部分とゴルフクラブのヘッドに取付けられるためのホーゼル部分を備える。シャフト部分はヘッド方向部を備え、該ヘッド方向部はヘッドの方向を強調する。パターのヘッドは、本体部を備え、該本体部はポリマ及び複合材料のうち１つから形成される。本体部は打撃面及びボール照準部を有している。ボール照準部は、ヘッドとボールとの間の適切な関係を促す。
【０００８】
パターの製造方法は、パターのグリップを成型する工程と、パターのシャフトを成型する工程とを有する。該シャフトはシャフト部分とホーゼル部分を有する。またパターのヘッドを成型する工程を有し、該ヘッドは打撃面を備える。さらにパターの調整部を形成する工程とヘッドをシャフトのホーゼル部分に取付ける工程を備える。調整部はヘッドとシャフトの正しい配列を保証するために用いられる。
【発明を実施するための最良の形態】
【０００９】
本発明は、以下の説明および添付図面を参照することによって、さらに理解されるであろう。なお、以下の説明および添付図面においては、同種の構成要素は、同一の参照番号で指し示されている。
【００１０】
本発明の実施形態は、その概念的要素から組立てを容易にすることまで、および正しい使用を合わせたパターを含む。例えば、ゴルファがパターを正しく握るのを助ける特徴を含む要素も含まれるし、スイング中の正しいスタンスおよび身体のアラインメントを促す要素も含まれ、また、パターのフェースおよびヘッドとボールとの位置調整を容易にする要素も含まれる。本発明の他の設計上の特徴は、パターの組立ておよび個々のプレイヤの好みや様々なプレー・コンディションに応じたパターのカスタマイズを容易にすることである。
【００１１】
本発明のパターの全体が、図１乃至図４に記載されている。本発明の典型的な実施形態によれば、パター１００は、パッティング・システムとして統合されるように設計されたグリップ１１０およびシャフト１０２、ホーゼル１０８、ヘッド１０４を含み、それぞれの構成要素が共に動作して使用者に望ましい利益を与える。これらの構成要素は別々に作製され組立工程において結合されるようにしてもよいが、以下に充分に説明される通り、それらの特徴は、同時に作用する。
【００１２】
図面に示されている典型的な実施形態において、シャフト１０２およびホーゼル１０８は、一つの単一的な部品として、あるポリマから作製されるようにしてもよい。例えば、前記ポリマは、熱可塑性の材料あるいはどのような種類の公知のポリマもしくはポリマ複合材料であってもよい。シャフト１０２およびホーゼル１０８を形成する工程は、例えば、射出成型あるいは加圧成型、他の成型方法であってもよいし、押出し成型、フィラメントワインディング、シート・ラッピングなどであってもよい。ホーゼル１０８は、シャフト１０２とヘッド１０４を接続するように形づくられており、以下に記載される通り、シャフト１０２とヘッド１０４との間の適切な向きと位置関係を確実なものにする。グリップ１１０もまた、シャフト１０２やホーゼル１０８と同様の製造方法を用いてポリマから作製することができる。グリップ１１０は、例えば、シャフト１０２上にグリップ１１０を成型することによって、シャフトに固定してもよい。このようにして、グリップ１１０とホーゼル１０８とは、長さを変えることのできるシャフト部の両反対端に位置することとなる。
【００１３】
ホーゼル１０８は、ヘッド１０４の開口部１１８に挿し込まれ、パター１００の組立を完成するようにしてもよい。図９に示されているように、ヘッド１０４は、平らな平面に形成された打撃面１２０を有する。一般的に、パターをスイングする前には、ゴルファは、ヘッド１０４をボールの近くに下ろし、ボールが転がってゆく望ましい方向と垂直になるように打撃面１２０を揃える。また、その際にゴルファは、ボールが打撃面１２０の中心に位置していることを確実にする。パターをスイングするときに、ゴルファは、ヘッドがボールの辿るべき方向と同じ方向へ動くように、上記と同じ方向にヘッド１０４でボールを打とうと試みる。パター１００の各部については、以下に詳細に記載されている。
【００１４】
グリップ１１０は、プレイヤがパターを握るのに、解剖学的に正しく快適な把持を提供できるよう設計されている。さらに、グリップ１１０は、適切な方向へ向けてパターを握るのを促し、ヘッドが自然と適切な方向へ向いてボールを正しく打つことができるようになっている。典型的な実施形態において、グリップ１１０は、図５に示されるようにカルジオイド（ハート形）に形成された断面を有する。カルジオイド形状は、図５において、第三端部１３５よりも小さい半径をもつ２つの端部１３１および１３３を有する三側面形状として示されており、側面１３０および１３２、１３４は、端部１３１および１３３、１３５の円弧間を滑らかに遷移するように略曲線あるいは円弧の形状を有している。当業者であれば、“三側面”という用語は必ずしもどの側面も平らあるいは平坦であるということ意味するものではない、ということを理解できるであろう。実際、現在の全米ゴルフ協会（ＵＳＧＡ）の規則によれば、グリップの一側面の全体が平面であってもよいとされている。図面を見れば分かる通り、本発明の典型的な実施形態は、全く平坦な側面を有していない。パター１００が正確に整列されているとき、大きい円弧１３５の反対にある側面１３４は、ヘッド１０４のボール打撃面１２０と実質的に垂直になっている。このグリップ１１０のカルジオイド形状は、プレイヤの両手が身体の前で合わされ棒状の構造のものを包むようにしたときに自然とつくる形状と調和する。結果として、両手や手首、前腕部に過度のストレスや緊張を引き起こすことなく、プレイヤの両手は、グリップ１１０の周囲に快適に適合する。
【００１５】
図５に示されるとおり、グリップ１１０の断面形状は、断面形状に対して垂直である平面１３７について対称となっているので、グリップ１１０のカルジオイド形状はさらなる利点を提供する。典型的な実施形態におけるグリップ１１０は非テーパ形状になっているので、平面１３７は、グリップ１１０の全長に沿って端部１３５および面１３４を切ったものである。従って、グリップ１１０は、キャップ部１１２から遷移部１１４の始端まで同じ直径を有する。さらに、平面１３７は、パター・フェース１２０の平面と平行になっている。以下により詳細に記載される通り、パター・フェース１２０はわずかなロフト角を有していてもよいが、ヘッド１０４の上面１９４の平面と垂直なフェース１２０の中心点Ａ（図２参照）が位置する平面がある。平面１３７は、フェース１２０の中心点Ａが位置するこの平面と平行である。
【００１６】
グリップ１１０は、平面１３７について対称であるから、プレイヤの生理によって命令された方向に快適に握ることができる。これにより、パター１００が正しい方向に向けて握られているかどうかを、プレイヤにすぐさま知らせることができる。なぜならば、間違った方向に向けて握られていると、グリップ１１０は不快に感じられ、ヘッド１０４およびフェース１２０は間違った方向に向いているからである。プレイヤは、自然とグリップ１１０が快適に感じられるまでパターを回すであろう。平面１３７はフェース１２０の平面と平行となっているので、このグリップの快適な握りは、パター１００の適切な方向をも提供する。すなわち、フェース１２０は、パッティング・ストロークの間、ヘッド１０４の動きと平行となる。さらに、典型的な実施形態におけるグリップ１１０は非テーパ形状になっているので、プレイヤは、グリップ１１０の全長のどの箇所を握っても上述の特徴を利用することができる。例えば、背の高いプレイヤはよりキャップ１１２に近い側でグリップ１１０を握ってもよいし、一方、背の低いプレイヤは、より遷移部１１４に近い側でグリップ１１０を握ってもよい。いずれの場合においても、プレイヤの両手はグリップ１１０の周囲に快適に適合し、フェース１２０のアラインメントは、正しい状態にある。
【００１７】
グリップ１１０のカルジオイド形状は、自動センタリング機能をも提供する。図５の断面図に示されている端部１３１および１３３、１３５と面１３０および１３２、１３４は、ゴルファがグリップ１１０を握ったときにゴルファの両手の手のひらと指によって形づくられる曲線と適合する。もし、パター１００が理想的な方向から遠ざかる方向へわずかに回転すると、端部および面１３０乃至１３５を握るときにプレイヤの両手によって加えられる力が、パター１００を適切な方向へ戻そうとする。グリップ１１０の形状は、グリップ１００とシャフト１０２の長手方向の軸をプレイヤの両手のひらのつくる軸と整列した状態に配置している。これにより、プレイヤの両手にかかるストレスが除去され、より快適な把持が提供される。
【００１８】
グリップ１１０のカルジオイド形状はまた、パター１００をスイングする間、プレイヤの両手首の孤立を考慮に入れている。すなわち、プレイヤの手首は、パター１００をスイングする間、感知できるほどにはその状態を変えない。パットをするときのプレイヤにとっての理想的な身体の姿勢は、パターを握る両手が二等辺三角形の第１の角を作るようにし、両腕のそれぞれが辺となり肩部まで上って残りの２つの角を作るようにした二等辺三角形を形成することである。最後の辺は、２つの肩を結ぶ胸部を横切る想像上の水平線である。プレイヤは、バックスイングからボールを打つためにパターを前方へ振り出し、ボールの位置を通過してストロークを終えるまで、このトライアングルを維持すべきである。グリップ１１０を握るときに両手首を孤立させることは、プレイヤがパッティングの全体を通じてこのパッティング・トライアングルを維持することを可能にするのである。
【００１９】
グリップ１１０は、異なったプレイヤの手にも適応するよう、いくつかの寸法に形成してもよい。例えば、図５に示される距離‘ｄ’は、約１〜１  ３／４インチとすることができる。パターのグリップについての現在の最大寸法は、全米ゴルフ協会の規則に定められている。パターについては、この許された寸法は、最大径１  ３／４インチの最大寸法‘ｄ’に相当する。典型的な実施形態において、最大寸法‘ｄ’は、対称軸１３７と一致する。しかしながら、異なった形状のグリップとする場合には、対称軸ではない最大寸法‘ｄ’を考慮してもよい。示された典型的な実施形態においては、どのような許されたグリップサイズ（‘ｄ’）も同一のシャフト１０２およびホーゼル１０８にも接合できるように、グリップ１１０は、シャフト１０２およびホーゼル１０８とは別個に形成されている。このように、製造工程においては、例えば上述のグリップサイズのどれにも適応するように、ただ一つの型のシャフト１０２やホーゼル１０８を作製すればよい。望ましいグリップサイズは、例えば、シャフト１０２上にグリップ１１０を成型することによってシャフト１０２およびホーゼル１０８に接合されるようにしてもよい。
【００２０】
グリップ１１０はポリマから作製することができるので、グリップの重量は全てのグリップサイズについて同じにすることができる。したがって、それぞれのグリップサイズについて再度パターのバランス調整をする必要がない。より小さいグリップ１１０のポリマには、より大きいグリップ１１０と同じ重さになるように、金属（例えば、アルミニウム、タングステンなど）あるいは他の材料を含浸させてもよい。当業者であれば、どのような寸法のグリップにも金属あるいは他の材料を含浸させられることを理解できるであろう。さらに、グリップ１１０は単一の部品として形成されかつシャフト１０２上に成型されているので、クラブの運動感覚は、直接的にプレイヤの両手に伝わる。パター１００の他の部分からプレイヤの両手を絶縁するための追加のグリップ材料（例えば、シャフト上に付加するラバー製のグリップなど）はいらない。
【００２１】
グリップ１１０に関する上述の特徴は、例えばトラディショナル・グリップや逆オーバラッピング・グリップ、クロー・グリップなど、どのようなスタイルのパター１００の握り方にも適用できる。さらに、グリップ１１０の特徴は、例えば長い指／小さい手のひらや短い指／大きい手のひらなど、指と手のひらの長さの比率に関係なくどのようなプレイヤでも享受できるものである。グリップの長手方向の長さは、異なったプレイヤの好みに応じてどのような寸法にしてもよい。
【００２２】
図５に示される通り、グリップ１１０は、グリップ１１０内に内面壁によって形成されおよそグリップ１１０の外側と同じカルジオイド形状の空洞部１３６をも含むようにしてもよい。空洞部１３６は、例えば、円形や卵型など、他のどのような形状にしてもよい。以下により詳細に記載される通り、この空洞部１３６は、パター１００の重量システムを含むようにしてもよい。着脱可能なキャップ１１２も、空洞部１３６を閉じるために含むことができる。グリップ１１０にはまた、プレイヤにより良い感覚を提供するため、浮き模様を施してもよい。
【００２３】
遷移部１１４は、グリップ１１０とシャフト１０２が接合されるグリップ１１０の下部とシャフト１０２の上部との間に形成してもよい。グリップ１１０とシャフト１０２は、異なった断面形状を有していてもよく、遷移部１１４が、２つの部分の形状を滑らかに融合させて、突然の形状変化により引き起こされる応力集中を避けることができ、かつ満足な外観を得ることができる。本発明の典型的な実施形態においては、グリップ１１０は、遷移部１１４においてシャフト１０２上に成型してもよい。
【００２４】
シャフト１０２の機能は、第一には構造的なものであり、パター１００に適当な長さと剛性を与えることである。典型的な実施形態においては、シャフトの長さはおよそ１８インチである。しかしながら、シャフト１０２は、異なったプレイヤの好みに応じて異なった長さに形成してもよい。シャフト１０２は、ショットを行う際に気が散らないように、またより満足な視覚的外観を有するように、グリップ１１０の断面よりも小さい断面を有するようにしてもよい。上述の通り、シャフト１０２は、ポリマ成型工程によりポリマで作製してもよい。それにより、シャフト１０２は、継ぎ目のない単一部品とすることができ、シャフト部に継ぎ目のあるパターよりも、構造的により完全なものとなる。シャフト１０２は、中実のポリマ部品としてもよいし、グリップ１１０に関して記載した空洞部１３６と同様に様々な形状の空洞部を有するようにしてもよい。
【００２５】
シャフト１０２は、パター１００全体の剛性を定める大きな要因となり、従ってスイングの際に望ましくない反りや捩れを防ぐために非常に堅くされるべきである。特に、ＵＳＧＡ規則は、シャフト部分が試験重量の下で互いに直交する方向に同じ量だけ反らなければならないことを規定している。この要求は、例えば、シャフト１０２を、試験重量の下でどの直交方向においても全く反らないか極僅かだけ反る十分な堅さに作ることにより適合することができる。中実のシャフトは、シャフト内の望ましくない高調波を除去するので、空洞部を有するシャフトに比べてより高い剛性と、プレイヤに高められた感覚のフィードバックを付与することができる。
【００２６】
ヘッドの方向部は、本発明による典型的な実施形態のシャフト１０２に組み込むことができる。ヘッドの方向部は、ゴルファに、視覚的にゴルファの手に対するヘッド１０４の方向を知らせるために設計される。例えば、ヘッドの方向部は、シャフト１０２の形作られた上面１４０を含む。形作られた面１４０は、凸面とすることができ、シャフト１２０の上面を形成することができる。この例では、シャフト１０２は、卵形又は楕円形の上部を形成する形作られた面１４０を備えた、略２軸に関して対称的な卵形又は楕円形として形作られた断面を有することができる。図６は、形作られた表面１４０と端部１４２を備えたシャフト１０２の断面図を示している。パター１００の製造の際、卵形又は楕円の長軸がヘッド１０４の所望方向に配置されるように、シャフト１０２が組み立てられる。例えば、長軸はスイング中のヘッド移動の好ましい方向と平行とすることができる。この方法においては、ヘッドの方向部は、ゴルファがスイング前又はスイング中にヘッドを正確に配置することを助ける。
【００２７】
ゴルファがシャフト１０２に沿って、パターのヘッドとゴルフボールを見る時、形作られた面１４０は、ヘッドが適切に、即ちパター１００によりボールに与えられるべき動きの所望方向に垂直な打撃面１２０をもって配置されているかどうかについて直ぐにフィードバックを与える。この方向はまた、通常、スイング中のヘッドの意図された動き方向と平行である。もし、形作られた面１４０が凸面である場合、目が端部１４２に対して形作られた面１４０の頂点位置を認めることができるので、シャフト１０２の非常に小さい回転量を大きく見せるのに役立つ。ゴルファは、それからパターヘッド１０４の所望方向からのいかなるズレも修正することができる。形作られた面１４０はこのように、ゴルファがヘッドの方向部に集中することなく、直ちにゴルファにシャフト１０２とそれに連結されたヘッド１０４の適切な方向を知らせることができる。本発明のこの典型的な実施形態によるこのヘッド方向部は、パットを成功させるために必要な他の要素に集中することからゴルファの気をそらさせない。
【００２８】
更に、シャフト１０２からの視覚的フィードバックはまた、プレイヤの身体の好ましい方向についても考慮する。図２に示すように、プレイヤがパッティングの前にボールをアドレスする時のように、ヘッド１０４の底部が地面に平行な時、シャフト１０２の中心線１２３（即ち、シャフト１０２の長軸）は、地面に対して傾斜した平面内にある。この角度は、シャフト１０２の中心線１２３とヘッド１０４の中心の交点での角度である。この角度は、シャフト１０２とホーゼル１０８の方向に基づく本発明によるパターの異なる実施形態については異なっている。もし、形作られた面が平らであれば、この平らな面は中心線１２３について述べられた平面に平行な平面内にある。しかしながら、典型的な実施形態が凸面として形作られた面１４０を示しているので、形作られた面１４０と垂直に交わり、中心線１２３について述べられた平面と平行である一連の平行な平面が存在する。パッティングについて好ましい方向は、同じ平面或いはこれらの平面と平行な平面内にプレイヤの身体がある。例えば、プレイヤがボールをアドレスする時、膝は膝と尻の間に平面を形成する脚と共に曲がらなければならない。この脚の平面は、中心線１２３について述べられた平面と平行でなければならない。もし、プレイヤが形作られた面１４０から配列が正確ではないという視覚的フィードバックを受け取ったならば、この膝の曲がりは、身体とパターを直線上に並べるために、プレイヤが修正する一つの要素であろう。
【００２９】
更なる例においては、プレイヤがグリップ１１０を握ったとき、腕は手から肩領域を通る平面を形成する。シャフト１０２の設計が、プレイヤがパッティングの時に正確にこの面に向くことを保証する限り、グリップ１１０の設計は、腕がこの平面を形成することを保証する。プレイヤによる好ましい配列は、中心線１２３について述べられた平面と同じ或いは平行な平面にある、腕により形成される平面となる。再び、もしもプレイヤが形作られた面１４０から配列が正しくないという視覚的フィードバックを受け取ったならば、プレイヤは身体とパターを直線上に並べるために、腕と上体の配列の修正を考慮することができる。
【００３０】
プレイヤがシャフト１０２からの視覚的目印を用いて好ましい配列を達成してボールを打った時、パターフェイス１２０の動きは、平行な各平面の直線上にある。例えば、図２に示すように、中心線１２３について述べられた平面は、ヘッド１０４上の点Ａを通過する。もし、プレイヤの配列が、シャフト１０２の視覚的目印により示されたように修正されたならば、パッティングストローク中の点Ａの動きは、中心線１２３について述べられた平面内に残ったままとなる。従って、シャフト１０２は、好ましい身体の配列と好ましいヘッド１０４の配列をもたらす。
【００３１】
この典型的な実施形態は凸状に形作られた面１４０を説明したが、他の形状も適用可能である。例えば、丸みを帯びた三角形表面、或いは多面表面もまた、シャフトの回転角度における非常に小さい変化を認識するために必要な所望の視覚的コントラストを提供する。シャフト１０２について適用できる他の形状の例は、円形、円に近い形状（例えば、円に近い多面多角形）、全ての形状の卵形（例えば、長軸と短軸を変化させる）、長方形、正方形、星形などの断面を有する形状を含む。別の典型的な実施形態では、形作られた面１４０は、提供される視覚的コントラストを最大化するコーティング或いは浮き模様をもって仕上げることができる。例えば、異なる色又はシャフト処理（例えば、ローレット仕上げ）が、パター１００が適切に配列されていないときにプレイヤが見る、視覚的コントラストを更に増加させるために使用されることができる。
【００３２】
シャフト１０２は、テーパ状又は非テーパ状とすることができる。非テーパ状のシャフトは、シャフト１０２の全長に沿って同じ断面を有する。テーパ状のシャフトは、いずれかの方向のテーパとすることができる。即ち、ホーゼル１０８近傍よりグリップ１１０近傍の断面が大きいか若しくはグリップ１１０近傍よりホーゼル１０８近傍の断面が大きいかである。シャフト１０２のテーパは、シャフト１０２の剛性が保たれる限り、シャフト１０２に滑らかな外観を与える非常に小さい段階をもってテーパが増加される。第二の遷移領域１１６は、シャフト１０２とホーゼル１０８を連結している。遷移領域１１６は、示された典型的な実施形態では異なっている、シャフト１０２の形状からホーゼル１０８の形状まで滑らかに変化させる目的を有している。第一遷移領域１１４の場合と同様に、第二遷移領域１１６は、応力集中を回避し、パターがより美的アピールを有するために、構成要素の形状が突然変わることを回避している。
【００３３】
別の典型的な実施形態では、シャフト１０２は中実コアの周りがモールドされたポリマ材料（或いは他の複合材料）で作られてもよい。中実コアは、いかなる材料、例えば金属、ポリマ等でつくられてもよい。シャフト１０２と中実コアはいかなる形状でもよい。例えば、シャフト１０２は上述され図示されたような形状とすることができる。これに対して、中実コアは、同じ断面又は円形断面を有することができる。そのような中実コアシャフト（又は全ての中実シャフト）は、ボール打撃の音と感覚の伝達速度を増加させることができる。従って、プレイヤは、中空シャフトに比べてより迅速にフィードバックを受け取ることができる。当業者は、グリップ１１０が同じ方法、即ち中実コアの周りがモールドされたポリマ（又は他の複合材料）で形成され得ることを理解するであろう。
【００３４】
別の典型的な実施形態では、シャフト１０２は、シャフト１０２を強化するための突出リブを有することができる。このリブは、シャフト１０２を強化する或いはプレイヤに視覚的コントラストを提供する、一連の平行な円形リブ、直線状の長さ方向リブ或いは他のいかなる形状の突出リブでもよい。リブの付加は、シャフト１０２について一定でない表面を形成する。これは、シャフト１０２の調整部について視覚的コントラストを付加する。当業者は、例えばハニカム形、長方形等の他の種類の突起もまた同じ特徴を提供することを理解するであろう。
【００３５】
本発明の典型的な実施形態で示されたホーゼル１０８は、シャフト１０２にヘッド１０４を連結する他に幾つかの目的を有している。例えば、調整部１１８は、ホーゼル１０８とヘッド１０４の界面に含まれることができる。この調整部は、ヘッド１０４がパター１００の構成要素が組み立てられた後、シャフト１０２に対して正しい方向にあることを保証する。上述の如く、シャフト１０２とグリップ１１０は、ゴルファがヘッド１０４を配列するのを助けるための様々な補助をする。上述したように、これらの補助は、解剖学的に形作られたグリップ１１０と形作られた表面１４０を含んでいる。従って、調整部１１８は、他の補助が効果的となるように、パター１００が正確に組み立てられることを保証する。調整部１１８はまた、２つの構成要素を結び付けるための組み立て行程を容易にし、そのため完全なパター１００は安価に組み立てることができ、製造において誤る機会が殆どない。この特徴はまた、どれかの部分或いはヘッド１０４が損傷した場合に、グリップ−シャフト−ホーゼル部分の容易な取り換えを許容する。
【００３６】
一つの典型的な実施形態では、調整部１１８は、ヘッド１０４内に形成された対応して形作られている凹部と協同する、ホーゼル１０８の底部の一定方向の形状を含む。例えば、図７に示すように、ホーゼル部１０８の底部は卵形の断面を有し、ヘッド１０４の卵形開口部に適合する。他の形状もまた、示された卵形断面の代わりに利用することができる。一方向のみに組み立てが許容される全ての形状が、この目的のために適用可能である。更に、調整部は、ホーゼル１０８のヘッド１０４への挿入深さを限定又は調整する特徴を含んでいる。例えば、ヘッド１０４のある深さまで挿入できるが、ホーゼル１０８がヘッド１０４への更なる挿入には大き過ぎるためにそれ以上はできないホーゼル１０８上のテーパがあってもよい。この特徴はまた、パター１００の組み立てを容易にする。ホーゼルの長さは、ＵＳＧＡにより規定された限度内で変えることができる。
【００３７】
ホーゼル１０８はまた、更にゴルファがボールを打つために適切な方向でヘッド１０４を配列することを助ける。図４及び７に示された典型的な実施形態では、ホーゼル１０８は、断面の前部に沿う円弧中心点１５０を有する半径により形成された円弧を有している。ゴルファがシャフト１０２に沿ってボールを見るとき、円弧中心点１５０は、ボールが打たれるべきヘッド１０４の前部を示す側面１５２の間の直線として現われる。もし、パター１００が正確に向いていれば、円弧中心点１５０の直線は両側面１５２の間の中心にあり、ボールに向いている。もし、パター１００が正確に向いていなければ、円弧中心点１５０と側面１５２はヘッド１０４がボールを打つために適切に配列されていないことを示す対称像を形成しない。
【００３８】
シャフト１０２のヘッド方向部が、形作られた面１４０と直線状の円弧中心点１５０の両方を含む実施形態では、特に効果的な配列方法が提供される。この形態では、形作られた面１４０の視認された頂点が円弧中心点１５０と並んだ時、ヘッドに向く連続的な直線が視覚的に現われ、ゴルファはヘッド１０４が適切に配列されていることを確信する。この配列は、適切に配列されたときにゴルファに照準効果を与える。この配列方法は非常に直感的に認識させ、パターをスイングするという主の仕事からゴルファの気を殆ど散らさせない。
【００３９】
ホ−ゼル１０８及び第２遷移領域１１６は、オフセットを形成する。前記オフセットは、シャフト１０２とヘッド１０４の間に形成され、図２に示される。このオフセットによって、ホーゼル１０８がヘッド１０４に取り付けられ、前記ホーゼル１０８は、ヘッド１０４の縁付近に取り付けられる。図２の点Ａで示すように、上記した調整部は、直接的に打撃面１２０の中央部に向かっている。図２で示すように、シャフト１０２の中心線１２３は、直接、点Ａを通ち抜ける。円弧の中心点１５０及び湾曲表面１４０の頂点が理想的な打撃表面の方向を向いていることが有益である。このことは、ボールに対してヘッドを調整することを容易にする。このホーゼル・オフセット（角度）を減らすことも増やすことも可能であり、或は、ホーゼル１０８は、オフセットを有しない又は１つのオンセットを有することもある（例えば、オフセットの角度と反対の角度）。
【００４０】
さらに、ホーゼル１０８の長さと形状は多様である。例えば、ホーゼル１０８に適応する形状の他としては、様々な断面を例示できる。前記断面とは、円形、ほぼ円形（例えばほぼ円形の多面多角形）、あらゆる卵型（例えば長軸と短軸の長さが多様である）、長方形、正方形、星型等が挙げられる。第２遷移領域１１６もまた、シャフト１０２からホーゼル１０８にかけて図で示したものと異なった方法で変形される。例えば、遷移領域１１６はより急傾斜（即ち短い長さにおいてシャフト１０２がホーゼル１０８に変形する。）である可能性がある。他の実施例として、シャフト１０２とホーゼル１０８は、遷移領域１１６において方向付けされるオフセットを有さず、同じ断面の形状を持つ可能性がある。当業者は、本発明の特性を失うことなく、遷移領域１１６のための多くの可能な形状が存在すること理解できる。
【００４１】
ホーゼル１０８は、好ましくは、ヘッドの中央部というよりむしろ、ヘッドのヒール部付近でヘッド１０４と接続される。これは、重量システム（下記に示す）が備わっていても或は備わっていない場合も、クラブの面のバランスをとることを可能にするためである。しかしながら、ホーゼル１０８の挿入点は、ヘッド１０４のヒール部からトゥー部までのどの場所であってもよい。ホーゼル１０８は、ホーゼル１０８がヘッド１０４の中へ挿入される場所に振動ダンパを備えている。前記振動ダンパは、シャフト１０２及びグリップ１１０へ放射状に広がる余計な振動を防ぐものである。前記振動ダンパは、例えば、それを取り囲む他の材料より高密度のポリマ或はマトリックス材であってもよい。振動ダンパは、クラブの感応性を高め、ボールがヘッド１０４で打たれる時、プレイヤがより正確な運動感覚性のフィードバック及び音的なフィードバックを捕らえることを可能とする。
【００４２】
上記のごとく、ヘッド１０４はホーゼルと接続する。調整部１１８によって、常に、ヘッド１０４がパター１００のホーゼル−シャフト−グリップ部分と接続されることになる。また、ヘッド１０４の方向は、グリップ１１０、シャフト１０２及びホーゼル１０８の様々な形態における方向と一致し、これは、プレイヤがヘッド１０４とボールの位置を調整するのに役立つ。それゆえ、部品が誤って組み立てられる可能性がないことから、パター１００の組立ては、簡単である。そしてヘッド１０４とホーゼル−シャフト−グリップの並び具合を確認するための追加の処理は必要ない。
【００４３】
パター１００の他の部品に関して、ヘッド１０４はポリマ材で製造される。前記製造は、標準的な樹脂成型技術（例えば射出成型等）を用いて行われる。ヘッド１０４の打撃面１２０は、滑らか或は表面に模様が入っていてもよい。模様入りの打撃面１２０は、所望の柄であってもよい。ヘッド１０４の実施例は、トゥー部からヒール部の幅を備えている。前記幅は、ＵＳＧＡ規定に従い、奥行き（前面からアフト）より長い。
【００４４】
ヘッド１０４もまた、特性を有する。前記特性とは、プレイヤがボールと打撃面１２０を、正確に１列に並べる際、役立つ。図８、９で、本発明の実施例で示すように、ボールに対する照準部もまた、ヘッド１０４に備わっている。前記照準部は、ヘッドとボールの位置調整することを容易にし、ボールが正確に打撃面１２０によって打たれるようにする。示した実施例において、打撃面１２０は、平面であり、即ち、ヘッド１０４の幅「ｗ」方向に広がる平らな表面である。プレイヤがゴルフボールを打つ時、理想とされるボールの運動方向に対する打撃面１２０の方向は、望ましい結果を生むためにも非常に重要である。地形特性の干渉を受けない限り、基本的な物理学によると、ボールは、打たれた後、打撃面１２０の平面に対して直角方向に速度を増す傾向がある。もし、ボールが打たれた時、打撃面１２０が理想とする運動方向と直角でない場合、そのボールは、おそらく望ましい方向を進まない、或は理想距離に届かない。事実、ボールが打たれるとき、運動が変換されることに加えて、ボールに回転を与えることを避けるためにも、ヘッド１０４の全体は、望ましい方向に向かって動く必要がある。
【００４５】
ボールを打撃面１２０で、望ましい運動方向に対して直角に打つこと、及び、ヘッド１０４が望ましい運動方向で移動するようにすることを考慮して、ヘッド１０４は様々な形状とされる。前記形状により、プレイヤは、これらの操作が可能となる。例えば、図８に示すように、上方から見たヘッド１０４の外形は、直線からなる。前記直線は、直角を形成する。これらの直線は、全て平行であるか、打撃面１２０の平面に対して直角である。これは、打撃面１２０の方向を視覚的に決定することを容易にする。特に、側面１９０は、打撃面１２０に対して直角であり、背部表面１９２は、打撃面に対して平行である。プレイヤのフィールドにおいて、プレイヤが、他の角度から外形を見たとき、適切なヘッド１０４の位置決めに関して不確定にさせる。上部から見えるヘッド１０４の各縁は、それゆえ、打撃面１２０に対して直角或は平行のいずれかである。また、スイングの途中においては、ヘッド１０４の望ましい移動方向に対して直角或は平行のいずれかである。
【００４６】
打撃面１２０は、上面及び底面１９４、１９６に対して直角であるか、或は、多少の角度がついている。前記角度は、ボールが打たれる時、ボールにロフトを与えるものである。例えば、打撃面１２０は、約１〜５°上向きで、即ち上面１９４に向かって角度がついている。このロフト角度は、ボールが打たれる際に、ボールをわずかに持ち上げることに役立つ。例えば、ボールが静止している時、ボールはグリーンの芝生の上表面の高さより低い位置に存在する。これは、ボールの重さ、そのボールの衝撃、或は以前に打たれたボールの衝撃、または、ボールが静止している場所がプレイヤによってへこまされることによって起こる。それゆえ、ボールは、最初の衝撃時に、前述のくぼみ部分から外にもたらすため、わずかに持ち上げられる必要がある。しかしながら、その目標は、ボールの表面にヘッドが触れた直後に、ボールが、横滑りすることなく転がり始めることを可能にすることである。この特性は、ボールの距離と方向の操作を改善することに役立つ。本実施例において、低面１９６は、３つの面から形成される：上面１９４と平行している底面及び角度がついた２つの面。この方法において、前記底面１９６が小さい程、スイングの際に、地面に沿った接触点を減らすこととなる。特にパター１００がグリーン以外の場所（例えばグリーン周辺部の草が生い茂った所等）で使用されるとき、プレイヤは、前記接触点の減少により、より操作しやすくなる。この特性は、図３において詳しく示される。
【００４７】
本実施例のヘッド１０４は、さらに容積測定の視差照準システム（ＶＰＳＳ）２００と呼ばれる視準装置を備える。プレイヤの適切なスタンスは、ボールがホールに落ちるために、ボールに照準を合わせる際、特に重要である。特に、プレイヤの目は、ボールの直上に向けられるか、或は、照準を合わせる際、ボールの望ましい移動を表す平面に向けられる。プレイヤの視界においては、ホールに向かうボール及びボールの目標進路はすべて１つの平面の中に存在する。前記平面は、地面とほぼ直角である。このスタンスが維持される時、プレイヤは、まっすぐターゲットラインをみることにより、ホールに照準を合わせることができる。前記ターゲットラインとは、ホールまでのボールと望ましいボールの移動進路を結ぶラインである。もし、プレイヤの目がボールの直上を向いていない時、プレイヤは、ラインに沿って照準を合わさなければならない。前記ラインとは、望ましいパターの進路を横断したラインである。この場合、ボールに照準を合わせることが非常に難しくなる。ＶＰＳＳ２００は、パター１００のスイングの前に即ちプレイヤがヘッド１０４とボールを一直線に並べる際、使用されることを意図されたものでる。
【００４８】
本発明の本実施例に関して、図８及び９で示したとおり、ＶＰＳＳ２００は長方形の凹部２０２を備える。前記凹部は、ヘッド１０４のほぼ中央部の位置する。本実施例において、凹部２０２は、２つの側壁２０４及び２０５、前方壁２０６を有している。前記凹部は、後部が開いた状態である。前記凹部が完全に囲まれた状態である即ち後方壁を有してもよい。凹部２０２の底面２０３は、ヘッド１０４の上面及び低面１９４、１９６に対して平行である。前記壁２０４〜２０６は、凹部の底面２０３に対して直角である可能性がある。凹部２０２は、更にヘッドとボールを一直線に並べることを可能とするため、打撃面１２０の領域即ちボールと接触する領域と隣接して取り付けられる。本実施例のＶＰＳＳ２００が上方から見られ、さらにプレイヤの見方が適切な場合において、ＶＰＳＳ２００は、ヘッド１０４の２次元形態として見える。例えば、凹部２０２の底面２０３は、ヘッド１０４の上面１９４と同じ平面状に存在するように見え、壁２０４〜２０６は単に線として見える。即ち、底面２０３と上面１９４とで形成された連続した平面として見える。
【００４９】
プレイヤの視点が、正しくヘッド上即ちボール上にない場合、スイングの前にパターを置く際に、ＶＰＳＳ２００は、ヘッドの三次元形態に見える。例えば、壁２０４〜２０６の１以上が単に線として見えず、深さを持つように見えるかである。底面２０３は、ヘッド１０４の上面１９４と異なった平面上に存在するように見える。それゆえ、ＶＰＳＳ２００はプレイヤには三次元に見える。これにより、プレイヤは即座に、ヘッドが不適切に置かれていることに気づき、そしてスイングする前に、正だすことができる。図８で示した図は、１例である。前記例は、プレイヤの視点が誤って調整された場合に、どのようにＶＰＳＳ２００が映るかをしめしたものである。
【００５０】
ＶＰＳＳ２００は、プレイヤがスイングする前にヘッドの位置を確認するための方法を提供する。前記方法は、速く、直感的で、気を散らすことなく行われる方法である。壁２０４〜２０６は底面２０３から離れて、際立って目に見える。凹部２０２の色や模様はそれゆえ、最大限の差異をつくるように選ばれ、さらにプレイヤのための目印を単純にする。
【００５１】
上記したように、パター１００の各部品（即ちヘッド１０４、ホーゼル１０８、シャフト１０２及びグリップ１１０）は、ポリマ材で製造される。任意の含浸材を含むポリマの特性は、パター１００に、必要な剛性及びねじり剛性とともに、望ましい重量、音、感触を与えるために選択される。ポリマの特性は、各部で様々であり、例えば、シャフト１０２は、グリップ１１０より、高密度で作られ、それゆえ、より高い剛性を持つ。ヘッド１０４の硬度もまた、適切なポリマを選択することにより調整される。前記調整は、ボールの硬度及び性質に対応するため、及び、引き出すためのものである。パターの硬さ、重量、変形／ねじれ及び強度は調整される。前記調整は、パター１００に望ましい特性を与えるために、その密度及び様々な部分における断面を変化させることにより行われる。例えば、打撃の際のバックスイングから前方への移動時に、パターを非常に硬くすることにより、感知できる変形が存在しないことは望ましいことではあるが、一方で、ボールが打たれる際、パター１００が、全く変形しないほど硬くするべきではない。ボールが打たれる時のパター１００の曲げ或は変形によって、プレイヤはその打撃を感じることができ、ボールの回転をよりよく操作できる。しかしながら、パター１００の変形は、パター１００のねじれを有することなくボールの進路に対して直角であるべきである。
【００５２】
ポリマ材で作られたパター１００は、従来のパターより１００％まで重い。これは、ボールに多少のはずみを与えることによって、より遅い、よりリズミカルなスイングを実現させるためのものである。それゆえ、遅いスイングの場合は、ボールの移動距離はより長く、しかし、遅いスイングによって、プレイヤは、ボールをより確実に操作できる。従来のパターにおいては、弾みをつけるために、重いヘッドをつくることが可能である。しかしながら、それは、パターのバランスを変えることとなり、それゆえ、プレイヤがクラブヘッドを操作することにより解決させる。本発明の実施例は、パター１００のバランスを損なうことがない、より重いパターを示している。
【００５３】
パターを含むゴルフクラブのバランスは、一般に、クラブの対数支点（logarithmic fulcrum）の観点から、決定される。クラブの対数支点は、クラブのトップからおよそ１９  １／２インチのところに位置する。
例えば、図４より、対数支点は、シャフト１０２のどこかに位置するキャップ１１２のトップから１９  １／２インチ下降したところに存する。完全にバランスのとれたクラブは、クラブは対数支点ポイント上でつりあうということを示す。
パター１００の典型例において、対数支点からクラブのトップまでの距離は、対数支点からクラブの底面までの距離より長い。したがって、バランス調整を行う為、クラブの下部（つまり対数支点より下の部分）は、クラブの上部より重くなければならない。
ポリマ材料と含侵材料を変化させることによって、本発明によるパターは、完全にバランスのとれたクラブとして、製造され得る。
ここで、完全にバランスのとれたクラブとは、クラブの低部分により多くの重量感を備えたものとして、若しくは、クラブの上部分により多くの重量感を備えたものとして製造されるものをいう。
実際、ほとんどのプレイヤは、より良い打球およびスイングの感触が得られるよう、完全にバランスのとれたものより、クラブの低部にわずかにより多くの重量感を有するパターを好む。下に記述するように、パターも、またプレイヤが重量感およびパターの感触をカスタマイズするための重量システムを含む。
【００５４】
本発明による、パターの典型例は、パターをカスタマイズするのに使用される、重量システムを含む。クラブの2つの部分間における重量配分の変更は、パターの回転の中心点を移動させることとなる。
パターの回転の中心点とは、パターをスイングする際、回転中心ポイントである。
ヘッド部分に重みを加えることは、ボールへ与えることができる、運動エネルギーの量に影響を与える。
ヘッドの運動量は、その速度と大きさに比例するので、与えられた速度において、ヘッドの質量が大きくなればなるほど、より大きな衝撃をボールに与えることが可能となる。
代わりに、同じ衝撃は、ヘッドエンド（クラブのより低い部分）がより大きな場合には、より遅い速度で、ボールを打つことによっても与えられる。
より遅い速度は、より遅くより良く制御されるスイング、よりよい距離コントロール及び、より滑らかな動作を可能とする。
【００５５】
図１０は、ヘッド１０４に使用される重量システムの典型例である。該実施例において、一連のトンネル３０２は、ヘッド１０４の分厚いセクションの中で、形成される。該分厚いセクションは、ＶＰＳＳ ２００を囲む。トンネル３０２は、ヘッド１０４の中で縦に伸びて、ヘッド１０４のヒール部からトウ部まで、横方向に配置される。
錘３００はトンネル３０２内に挿入可能である。そこで、それらは、従来の手法で適所に固定される。例えば、トンネル３０２の中をタップでねじ切り加工するなどである。
トンネル３０２内における、錘３００の位置は、ヘッド１０４が、どのようにボールを打つかについて影響を与えることができるよう、より前方、若しくは、より重心に近い箇所に配される。
錘３００は、個々のプレイヤの要望に応えることができるよう、様々な重さのものが提供されている。複数種のチャンネル３０２が、ヘッド１０４の幅方向に沿って、設けられている。
様々な重さの錘は、ヒール部310若しくはトウ部312への、ヘッドの重心を移動させる為、チャンネル内に配される。この機能は、パター100の感触をカスタマイズする、若しくは、プレイヤの正しくないスイング技術を修正するのに有用である（例えば、該重量システムはゲートパターのスイング修正の為、使用されてもよい）。
【００５６】
パター１００のヘッド１０４は、それらの縦軸に関して対称でない錘３０６の使用により、さらにカスタマイズされる。例えば、錘３０６は半円断面を有している。チャンネル３０２内の錘３０６を回転させることにより、ヘッド１０４の重心は、錘３０６の固体部分が何処で回転するかにより、上下に移動する。この性質はヘッドの重心における垂直位置での制御を可能とする。
例えば、このことは、早いグリーンでプレーする場合、ヘッド１０４の重心の上昇を可能とし、遅いグリーンでプレーする場合、ヘッド１０４の重心の下降を可能とする。重心の変化は、しばしば、効果的なフェースアングルに関連して、パターの効果的なロフトアングルを変更し得る。
上述のように、パターのフェースアングルは、約１−５度である。しかしながら、重心が高くなればなるほど、効果的なフェースアングルは、低くなる。従って、重心を高くした、3度のフェースアングルパターは、3度以下の効果的なフェースアングルを有することとなる。
効果的なフェースアングルの低下は、クラブをデ-ロフト（de-lofts）させ、またそれがクラブによって打たれる場合、ボールに、より少ないロフト（あるいは上昇）を引き起こす。
【００５７】
パターの重心を上げ下げする錘配置の別例には、台形状の錘といったような対称でない錘がある。そのような錘は中心軸について回転する。仮に、台形の大部分がトップまで回転すれば、より多くの錘がトップ上に存在することとなり、効果的に、重心を上げる。ところが、台形の大部分が、底まで回転すれば、重心は低下する。
これらの錘も、また、個々のプレイヤの特性に応じて、クラブのヒール部もしくはトウ部に向かうよう、回転される。
当業者は、ヘッド１０４に非対称的な同じ錘を加えることを遂行するために使用され得る、他の非台形状のものが存在することを理解する。
さらなる実施例において、錘は対称な形（例えば円、正方形など）であれば、形の半分が他方の半分より軽い材料であるといった、２種の金属材料から造ることができる。重い方の部分の、軸に対しての回転は、上述されるように、同じヘッド１０４の非対称的重量を加えることにより、遂行可能である。当業者は、両金属の重量に加えて、プレイヤの要望に応じて、ヘッドに重みを加えることを遂行するために、多種の金属(例えば３種の金属、４種の金属など)を使用することができるということを理解する。
【００５８】
キャップ３０４は、チャンネル３０２の開口部３０８を固定する為、配される。キャップ３０４は、所定の箇所で、つなぎ合わされ、錘３００、３０６がチャンネル３０２内に位置しても位置しなくても、使用されることとなる。ヘッド１０４の重量システムは、このようにして、3つの軸中のヘッド１０４重心の位置を調節すること、及び、ヘッド１０４の大きさを調節することにより、プレイヤがパター１００の感触をカスタマイズすることを可能とする。
【００５９】
一般に、ヘッドの質量の大半が、ヘッド104のヒール部及びトウ部３１０、３１２付近に集中していることが望ましい。このことによっても、ボールが打たれるときに、パター１００のねじれを減少させることができる。
さらに、ヘッド１０４に安定性を付加する為、打撃面１２０から離れて後部方向に、錘を移動させることも望ましいことである。
ヘッドからトウ部までの重量配分は、本発明の典型例により、制御可能である。
この特徴は、パターの打撃面のバランス変更を可能とし、４５度トウ部を下げる、若しくは４５度トウ部を上げることにより、バランスを保つことができる。
この方法において、パター１００は、いわゆるゲートパター、及びパターのようなものを介して前後に移動するもの等にも適応することができる。
【００６０】
図１２は、本発明による、ヘッド重量システムの変更例を示す。この例では、ヘッド104が、ＶＰＳＳ２００の両サイドのそれぞれに、１つの空洞部３４１を含む。各空洞部は、ロック可能なドア３４２の使用を通して、塞がれる。ドア３４２は、それらが目立たないよう、若しくは目障りにならないよう、設計される。
空洞部３４１は、上述のチャンネル３０２と同じ方法が適応可能であり、錘の形やサイズを変更可能である。空洞部341の内にロック装置が存在し、錘は、空洞部３４１内部の異なる位置で固定され得る。
【００６１】
さらなる典型例において、ヘッド１０４の重量システムは、ヘッド１０４に取付け可能な、分離可能な単独のプレートともなる。ヘッド１０４の錘を変化させる為、取付可能な一連の単独のプレートが存在する。当業者は、図１０及び１２で記載されている、重量システムは、唯の典型例で、ヘッド１０４に、錘を挿入するために使用される、多数の他の装置があることを理解する（例えば多数のチャンネルか空洞部、ヘッドのトップ部か底表面からの錘挿入、外部に重みを加えることなど）。
【００６２】
別の典型例では、ヘッド１０４は単一の固体片（例えば図１０で示されるのと同じ一般的形状で、錘の挿入用の空洞部３０８がない）である。ヘッド１０４の重さは、異なるポリマ材料、含侵方法あるいは他の複合材料を使用することによって、様々である。
例えば、中実のヘッド１０４は、ポリマにより囲まれた中実の金属コアを有することもある。この種の変更は、ヘッドの重量は、外部からの錘により変更可能である。若しくは、異なる重さを有するヘッド１０４と置き換えることでも変更可能である。
【００６３】
図１１は、グリップ１１０用の重量システムの典型例を示す。例えば、中空の空洞部１３６は、グリップ１１０内で、形成される。パター１００の回転の中心のための一連の動作を与えるために、中空の空洞部１３６は、グリップ１１０に沿って伸びている。
１若しくはそれ以上の錘３２０、３３０は、中空の空洞部１３６に挿入され、グリップ１１０に沿って、所望の距離に配される。
たとえ、ヘッド１０４の質量に変更がなかったとしても、錘３２０、３３０が遠くに配されれば、それだけ、ヘッドの回転中心が低くなることが解る。
錘３２０は、パター１００に所望の感触を与える為、及び、ヘッドの重さのバランスを保つ為、付け加えられ、配備される。
上述するように、ヘッドが重くなれば、パター１００は、対数平衡（logarithmic balance）を保てない。例えば、上述した重量システムの使用による錘の付加を介して、ヘッド１０４の重さを変化させることは、グリップ１１０での重さを変化させることに等しい。グリップ１１０での重さを変化させることで、パターの対数平衡を保持することが可能となる。このことは、しばしば、バック・ウェイティングとして、参照され、ヘッド１０４及びグリップ１１０の両方に、錘が付加されるが、パター１００は対数バランス（若しくは、プレイヤにより選択されたバランス）を保った状態に置かれる。
従って、パター１００は、ヘッド１０４とグリップ１１０における錘の追加を通して、顕著に重くなるが、バランスが同じのままであるので、パターの感触は同じままとなる。
【００６４】
錘３２０、３３０は、空洞部１３６の内部に、ありふれた方法で、配される。
例えば、錘３２０、３３０は、空洞部１３６の内部に、それらが所望の位置で固定されるよう、ネジ式に挿入される。キャップ１１２は、空洞部１３６を閉じ、さらなる錘３２０、３３０の移動を防ぐために利用され得る。
1の典型例では、重量システムが、１中心部材、若しくは、柱を含むこととなる。これらは、遷移領域１１４の内部に付けられるか、若しくは、遷移領域１１４内のボール及びソケット装置に固定されているものである。その後、中心部材は空洞部１３６内に挿入される。そして、錘３２０、３３０は、該中心部材に取付けられる。
この配置では、調節ねじは、キャップ１１２を介して、中心部材に取り付けられ、キャップ１１２を除去せず、空洞部１３６内部で、錘３２０、３３０を移動させることができる。同様に、錘自体は、それらが空洞部に挿入され、ボール及びソケット装置に固定されることができるように、形作られる。
【００６５】
ヘッド１０４とグリップ１１０で使用される錘の材料は、典型的には、例えばタングステン、鋼、真鍮、密度の高いポリマなどがあげられる。典型例の錘は調整可能であるが、異なる実施例では、製造中に挿入される、固定化された錘を使用する場合もある。
【００６６】
上述のように、記述されたゴルフクラブ（例えばグリップ１１０、シャフト１０２、ホーゼル１０８およびヘッド１０４）の構成要素の各々は、ポリマもしくは複合材料から形成される。例えば、複合材料は、金属あるいは他の材料を含有するポリマ、可変密度マトリックス合成物などがある。構成要素はさらに圧縮ラミネートか、多層なラミネートである場合がある。
【００６７】
以上より、本発明について、特定の典型例を参照とし、説明した。
しかしながら、改良、変更は、本発明の請求項で説明される要旨を離れることなしに、容易に行うことが可能となる。
本明細書及び図面に記載されているものに、特に限定されるものではない。
【図面の簡単な説明】
【００６８】
【図１】本発明に係る一体化されたパターの一実施形態を示す外観図である。
【図２】図１の一体化されたパターを示す側面図である。
【図３】図１の一体化されたパターを示す正面図である。
【図４】図１の一体化されたパターを示す平面図である。
【図５】図２のＶ−Ｖ線断面図である。
【図６】図２のＶＩ−ＶＩ線断面図である。
【図７】図２のＶＩＩ−ＶＩＩ線断面図である。
【図８】本発明に係る一体化されたパターのヘッド部分の外観図である。
【図９】図７のヘッド部分を示す平面図である。
【図１０】本発明の一実施形態に係るヘッド重量システムを示す外観図である。
【図１１】本発明の一実施形態に係るハンドル重量システムを示す外観図である。
【図１２】本発明に係るヘッド重量システムの他の実施形態を示す外観図である。
【図１】
2005518885.tif 000003
【図２】
2005518885.tif 000004
【図３】
2005518885.tif 000005
【図４】
2005518885.tif 000006
【図５】
2005518885.tif 000007
【図６】
2005518885.tif 000008
【図７】
2005518885.tif 000009
【図８】
2005518885.tif 000010
【図９】
2005518885.tif 000011
【図１０】
2005518885.tif 000012
【図１１】
2005518885.tif 000013
【図１２】
2005518885.tif 000014
【国際調査報告】
2005518885.tif 000015